(57)【要約】      （修正有）【課題】心地良い仮眠と共に睡眠中ゲルマニウムの血行促進効果が迅速に得られ、簡便に疲労回復が得られる寝ござを提供する。【解決手段】線状中空体となしたポリプロピレン樹脂製人工い草４aと、ポリプロピレン樹脂１００重量部に対し０．３〜１．０重量比でゲルマニウム微粉末が混ぜ合わせてなるゲルマニウム入り人工い草４ｂと、ポリプロピレン樹脂１００重量部に対し１．５〜２．５重量比で備長炭粉末を混ぜ合わせてなる備長炭入り人工い草４ｃを作成し、頭部側表面にポリプロピレン樹脂製人工い草４aと、備長炭入り人工い草４ｃが単位面積当たり前者の１に対し１．５〜５の割合で表れるように、そしてその他の身体部表面で備長炭入り人工い草４ｃとゲルマニウム入り人工い草４ｂが、単位面積当たり前者の１に対し１．５〜５の割合で表れるように大目織りさせてなる。【選択図】図３
0003124093.tif 000002
【実用新案登録請求の範囲】
【請求項１】
直径１．５ｍｍ〜２．０ｍｍの線状中空体となしたポリプロピレン樹脂製人工い草と、ポリプロピレン樹脂１００重量部に対し０．３〜１．０重量比でゲルマニウム微粉末が混ぜ合わせてなるゲルマニウム入り人工い草と、ポリプロピレン樹脂１００重量部に対し１．５〜２．５重量比で備長炭粉末を混ぜ合わせてなる備長炭入り人工い草を作成し、その長さ方向に於ける１５ｃｍ〜３０ｃｍの頭部側表面にポリプロピレン樹脂製人工い草と、備長炭入り人工い草が単位面積当たり前者の１に対し１．５〜５の割合で表れるように、そしてその他の長さ範囲表面で備長炭入り人工い草とゲルマニウム入り人工い草が、単位面積当たり前者の１に対し１．５〜５の割合で表れるように大目織りさせてなる人工い草の寝ござ。
【請求項２】
上記に於ける備長炭入りい草の黒色に対し、ポリプロピレン樹脂製人工い草はグリーン顔料でい草色に、ゲルマニウム入り人工い草はバイオレット顔料で紫色の夫々れ異なる配色になされていることを特徴とする請求項１記載の人工い草の寝ござ。
【請求項３】
上記に於ける巾寸法は４５ｃｍ〜９０ｃｍ、長さ寸法は１５０ｃｍ〜２００ｃｍとなしたことを特徴とする請求項１又２は記載の人工い草の寝ござ。
【考案の詳細な説明】
【技術分野】
【０００１】
本考案は、人工い草の寝ござに関する。
【背景技術】
【０００２】
ゲルマニウムは血行を促進させ、足・腕の疲れ、神経痛、腰痛などを速やかに取り去ることができるとして、健康バンドなどに利用されたり（特許文献１参照）、金属製の容器内にゲルマニウムを収容してシーツ等に取付けて利用されている（特許文献２参照）。しかし、これらの場合身体全体の広範囲に使用するには、多量のものを必要とし、使い勝手が決してよいものではなかった。
一方、天然い草の代替品として、ポリプロピレン製の線状中空体が使用されているが、機能及び風合いが不十分であることから、改良がなされている（特許文献３及び４参照）。しかし、これらの改良はプラスチック特有のテカリ感をなくして、防カビ、抗菌、防虫の効果を有効に利用すると共に天然い草の感触を得るものや、潰れにくく、折れにくい性能を付与するものであって、血行を促進して健康を図るものではなかった。
【特許文献１】実用新案登録第３１１９９２９号
【特許文献２】実用新案登録第３０８６０９９号
【特許文献３】特開平８−２８４０３９号
【特許文献４】特開平１０−１４０８００号
【考案の開示】
【考案が解決しようとする課題】
【０００３】
本考案は心地良い仮眠と共に睡眠中ゲルマニウムの血行促進効果が迅速に得られ、簡便に疲労回復が得られる寝ござを市販に提供しようとするものである。
【課題を解決するための手段】
【０００４】
本考案に係る人工い草の寝ござは、直径１．５ｍｍ〜２．０ｍｍの線状中空体となしたポリプロピレン樹脂製人工い草と、ポリプロピレン樹脂１００重量部に対し０．３〜１．０重量比でゲルマニウム微粉末が混ぜ合わせてなるゲルマニウム入り人工い草と、ポリプロピレン樹脂１００重量部に対し１．５〜２．５重量比で備長炭粉末を混ぜ合わせてなる備長炭入り人工い草を作成し、その長さ方向に於ける１５ｃｍ〜３０ｃｍの頭部側表面にポリプロピレン樹脂製人工い草と、備長炭入り人工い草が単位面積当たり前者の１に対し１．５〜５の割合で表れるように、そしてその他の長さ範囲表面で備長炭入り人工い草とゲルマニウム入り人工い草が、単位面積当たり前者の１に対し１．５〜５の割合で表れるように大目織りさせてなる。この際、上記に於ける備長炭入りい草の黒色に対し、ポリプロピレン樹脂製人工い草はグリーン顔料でい草色に、ゲルマニウム入り人工い草はバイオレット顔料で紫色の夫々れ異なる配色になしたりする。また、上記に於ける巾寸法は４５ｃｍ〜９０ｃｍ、長さ寸法は１５０ｃｍ〜２００ｃｍとなしたりする。
【考案の効果】
【０００５】
本考案品に係る寝ござは靭性に優れるポリプロピレン樹脂製人工い草と、この製造過程で一定重量比で備長炭粉末やゲルマニウム粉末を混ぜ合わせてなる備長炭入り人工い草と、ゲルマニウム入り人工い草の三種類を作成し、頭部側箇所に対しては備長炭入りを、そして他の身体側に対してはゲルマニウム入りと備長炭入りとを適当比率の下で組み合わせながら織成したものであり、頭部が位置する表面の凡そ全面で備長炭入りが表れるようになしたことは、吸湿や抗菌防臭作用で頭部周辺に爽涼感を漂わせて快適な睡眠を誘引させるものとなすのであり、これに対し身体部分に於いて、備長炭入りい草と、ゲルマニウム入りい草とを一定比率の下で組み合わせ織成したものは、上記に加えてゲルマニウムが発散するマイナスの自由電子が血行を促進させ、細胞の活性化を図って睡眠中の疲労回復に寄与するものとなるのである。
【考案を実施するための最良の形態】
【０００６】
以下、図面に示す実施の態様について説明する。
図１は本考案に係る寝ござの斜視図、図２及び図３は図１のｍ、ｎ部分に於けるい草の構成図である。各図に於いて、１は寝ござ、２はその表面部、３は縦糸、４は縦糸３を跨いで織られる人工い草である。ここに、寝ござ１の巾寸法ｗは４５ｃｍ〜９０ｃｍ、長さ寸法Ｌ１は１５０ｃｍ〜２００ｃｍである。
【０００７】
本考案に於ける、人工い草４はポリプロピレン樹脂製であって、その製造は１８０℃〜２２０℃の温度で押出機を用いて、直径を凡そ１．５ｍｍ〜２．０ｍｍの線状中空体に形成するのであるが、このさいグリーン顔料を使用してい草色に着色したもの４ａと、ゲルマニウム粉末や備長炭粉末を混入させたゲルマニウム入り人工い草４ｂ、及び備長炭入り人工い草４ｃの三種類を作成する。このさい、備長炭入りはそのままの黒色となるが、ゲルマニウム入りにはバイオレット顔料を使用して紫色に着色されたものにする。
【０００８】
ところで、ゲルマニウム入り人工い草４ｂは、本考案者の幾多の実験結果からゲルマニウム微粉末を分散剤と共にポリプロピレン１００重量部に対して０．３〜１．０重量比の割合で撹拌混合後、押出機を用いて溶融混練して押し出すことにより製造するのである。
【０００９】
また、備長炭入り人工い草４ｃは、備長炭バッチをポリプロピレン１００重量部に対して１．５〜２．５重量部の割合で、撹拌混合後、押出機を用いて溶融混練して押し出すことにより製造するのである。
【００１０】
本考案では上記の３種類の人工い草４ａ、４ｂ、４ｃが寝ござの表面側へ一定の割合で表れるように大目織りで織成するのである。即ち、本考案では寝ござの頭部側表面には上記のい草４ａ、４ｃを使用するが、とりわけ備長炭入り４ｃが一定割合で多く表れるようにするのであり、具体的には、長さ方向の一端から長さ寸法Ｌ２が１５ｃｍ〜３０ｃｍの範囲ｍに於いて、単位面積当たり前者４ａの１に対して１．５〜５の割合で表れるように織成される。
【００１１】
図２は上記に於ける１：３の比率による大目織りの構成図であって、実際にはい草４ａと４ｃが縦糸３の２本と６本の上下方向を交互に跨いで織られており、（イ）の部分の全体が備長炭入りのものとなっている。
【００１２】
上記図面は頭部箇所ｍをい草４ａと４ｃで織成した構成図であるが、図３は身体部が位置する側ｎの構成図であって、該部分はポリプロピレン樹脂製人工い草４ａと備長炭入り人工い草４ｂ、及びゲルマニウム入り人工い草４ｃの三種類で構成するのである。このさい、備長炭入り人工い草４ｂとゲルマニウム入り人工い草４ｃの構成比率は色々の実験結果から単位面積当たり前者の１に対し後者が１．５〜５の割合となるようにするのである。本図ではい草４ａと４ｃの３本を縦糸３の２本と６本の上下箇所で、い草４ａが縦糸２本の表面側に、そしてい草４ｃが縦糸６本の表面側に表れるように交互に跨いで織るのであり、次にい草４ａと４ｂの５本を縦糸３の２本と６本の上下箇所で、い草４ａが縦糸２本の表面側に、い草４ｂが縦糸６本の表面側に表れるように交互に跨いで織るのであり、両者の組み合わせで織成してある。このさい（ロ）の部分がゲルマニウム入りで、（イ）の部分は備長炭入りの部分になる。
【００１３】
ゲルマニウムは温度が３２℃を越えると、マイナス自由電子が外に飛び出し、プラスの電荷を帯びて弱っている細胞を活性化することが実験的に確かめられており、本考案者は上述の配合下に於けるゲルマニウム入り人工い草と抗菌防臭作用を呈する備長炭入り人工い草との間で適宜な組み合わせ状態になし、両者の作用効果が相乗的に発揮されるようになすのであり、子どもから大人までの広い範囲で簡易且つ快適な睡眠が得られ、将又疲労回復が得られるものとなる。
【００１４】
図４Ａ、Ｂ、Ｃ、Ｄは本考案品の寝ござを使用して仮眠したさい、赤外線撮影で身体の血行促進が図られる状態を示したもので、Ａは始め、Ｂは２０分、Ｃは４０分、Ｄは６０分経過時であり、これから胸腹部→脚部→手足部へと血行促進（斜線部部分）図られることが解る。
【００１５】
本考案品で備長炭入り人工い草４ｃは黒色であるが、他のい草４ａ及び４ｃをグリーン顔料やバイオレット顔料を使用して着色されたものとなすことにより、視覚的に美しいコントラストのものにすることができる。即ち頭部箇所は殆どが落ち着いた黒色で表されるものとなっており、これに対し身体部分は紫色とい草色とで程良い温かみを感じさせるものとなっている。而して、これらは心地よい睡眠に必要な頭部を冷たく、そして手足は温にする理に本考案は適するものとなっている。
【図面の簡単な説明】
【００１６】
【図１】本考案にかかる寝ござの斜視図である。
【図２】図１のＡ部分に於けるい草の構成図である。
【図３】図１のＢ部分に於けるい草の構成図である。
【図４】赤外線撮影における身体の血行促進状態図である。
【符号の説明】
【００１７】
１    寝ござ
２    畳表
３    縦糸
４    人工い草
４ａ  ポリプロピレン樹脂製人工い草
４ｂ  ゲルマニウム入り人工い草
４ｃ  備長炭入り人工い草
【図１】
0003124093.tif 000003
【図２】
0003124093.tif 000004
【図３】
0003124093.tif 000005
【図４】
0003124093.tif 000006